(57)【要約】      （修正有）【課題】商品の補充作業を容易に行うことができると共に使用期限切れ商品の発生を抑制可能な商品陳列棚を提供する。【解決手段】商品陳列棚１は、棚本体２に固定されて前方に延びる支持部材３と、支持部材３に前後方向に移動可能に支持されたスライドベース４と、スライドベース４上に設けられた押出装置５とを備えている。押出装置５は、所定間隔を存して平行に配置されたガイド部材と、これらガイド部材に沿って前後方向に移動可能な押圧体と、押圧体を前方に付勢するばね部材とを有しており、スライドベース４上に陳列された商品Ｐ群の１つが売れて取り除かれると、引張コイルばねの付勢力を受けた押圧体が残りの商品Ｐを前方に押し出すようになっている。【選択図】図１
0003227572.tif 000002
【実用新案登録請求の範囲】
【請求項１】
棚本体に固定されて前方に延びる支持部材と、
前記支持部材に前後方向に移動可能に支持されたスライドベースと、
前記スライドベース上に設けられた押出装置と、
を備え、
前記押出装置は、前記スライドベース上に載置された商品を前方に押し出す押圧体と、前記押圧体を前後方向に案内するガイド部材と、前記押圧体を前方に付勢するばね部材と、を有していることを特徴とする商品陳列棚。
【請求項２】
請求項１に記載の商品陳列棚において、
一対の前記ガイド部材が左右方向に所定間隔を存して平行に配置されており、これらガイド部材が連結板を介して一体化されていることを特徴とする商品陳列棚。
【請求項３】
請求項２に記載の商品陳列棚において、
一対の前記ガイド部材にそれぞれ前後方向に延びるガイド溝が形成されており、これらガイド溝に前記押圧体が摺動自在に係合されていると共に、前記ばね部材が引張コイルばねであり、この引張コイルばねの両端部が前記ガイド溝の前端部と前記押圧体に掛止めされていることを特徴とする商品陳列棚。
【請求項４】
請求項１に記載の商品陳列棚において、
前記スライドベースの上面を左右方向に隣接する複数の載置領域に区画する仕切り板を備え、これら各載置領域に前記押出装置がそれぞれ設けられていることを特徴とする商品陳列棚。
【請求項５】
請求項４に記載の商品陳列棚において、
前記仕切り板が前記ガイド部材に一体的に設けられていることを特徴とする商品陳列棚。
【請求項６】
請求項１〜５のいずれか１項に記載の商品陳列棚において、
前記商品がプリンタ用のインクカートリッジであることを特徴とする商品陳列棚。
【考案の詳細な説明】
【技術分野】
【０００１】
本考案は、商品を陳列する商品陳列棚に関する。
【背景技術】
【０００２】
従来、特許文献１に記載されているように、棚本体に固定されて前方に延びる支持部材と、支持部材に前後方向にスライド移動可能に支持されたスライドベースとを備え、スライドベースの上に商品を陳列するようにした商品陳列棚が提案されている。この商品陳列棚には、スライドベースの移動を規制して後方位置にロックするストッパが設けられており、ストッパを操作してロック状態を解除すると、スライドベースを前方に引き出すことができるようになっている。
【０００３】
このように構成された商品陳列棚においては、後方位置にロック（移動規制）されたスライドベース上に商品が前後方向に並べられるようになっており、商品の陳列作業や補充作業を行う場合は、ストッパの操作によりロック状態を解除した状態でスライドベースを前方位置に引き出すようにしている。
【０００４】
【特許文献１】特開２０１９−１３６２２９号公報
【考案の概要】
【考案が解決しようとする課題】
【０００５】
特許文献１に記載された商品陳列棚では、スライドベース上に陳列された商品が売れてなくなった場合、スライドベースを前方位置に引き出した状態で商品を容易に補充することができる。その際、スライドベース上に陳列された商品は一般的に手前側から順番に売れていくため、スライドベースの手前側に商品のなくなった空きスペースが発生し、新しい商品は手前側の空きスペースに補充されることが一般的である。しかしながら、プリンタ用のインクカートリッジのように使用期限がある商品の場合、新しい商品が常に手前側に補充されていくと、スライドベースの奥側に残っている商品に使用期限切れが発生してしまい、商品を廃棄処分せざるを得ないという問題があった。
【０００６】
本考案は、このような従来技術の実情に鑑みてなされたもので、その目的は、商品の補充作業を容易に行うことができると共に使用期限切れ商品の発生を抑制可能な商品陳列棚を提供することにある。
【課題を解決するための手段】
【０００７】
上記の目的を達成するために、本考案の商品陳列棚は、棚本体に固定されて前方に延びる支持部材と、前記支持部材に前後方向に移動可能に支持されたスライドベースと、前記スライドベース上に設けられた押出装置と、を備え、前記押出装置は、前記スライドベース上に載置された商品を前方に押し出す押圧体と、前記押圧体を前後方向に案内するガイド部材と、前記押圧体を前方に付勢するばね部材と、を有していることを特徴としている。
【０００８】
このように構成された商品陳列棚では、スライドベース上に陳列された商品群の１つが売れて取り除かれると、ばね部材の付勢力を受けた押圧体が残りの商品を前方に押し出すため、取り除かれた商品によって生じる空きスペースが残りの商品で埋められた状態となり、この状態のスライドベースを前方位置に引き出して商品の補充作業を行うことができる。その際、スライドベース上には商品を補充する空きスペースがないため、作業者は押圧体をばね部材の付勢力に抗して後方へ移動し、最奥側の商品と押圧体との間に商品を補充するスペースを確保する必要がある。その結果、新しい商品は常に最奥側に補充されることになり、使用期限切れ商品の発生を抑制することができる。
【０００９】
上記構成の商品陳列棚において、一対のガイド部材が左右方向に所定間隔を存して平行に配置されており、これらガイド部材が連結板を介して一体化されていると、商品を安定した姿勢で前方に押し出すことができて好ましい。
【００１０】
この場合において、一対のガイド部材にそれぞれ前後方向に延びるガイド溝が形成されており、これらガイド溝に押圧体が摺動自在に係合されていると共に、ばね部材が引張コイルばねであり、この引張コイルばねの両端部がガイド溝の前端部と押圧体に掛止めされていると、押圧体の移動を案内するガイド溝を引張コイルばねの収納スペースとして利用することができる。
【００１１】
また、上記構成の商品陳列棚において、スライドベースの上面を左右方向に隣接する複数の載置領域に区画する仕切り板を備え、これら各載置領域に押出装置がそれぞれ設けられていると、スライドベース上に複数種類の商品を陳列することができる。
【００１２】
この場合において、仕切り板を単独でスライドベースに取り付けるようにしても良いが、仕切り板がガイド部材に一体的に設けられていると、仕切り板付きのガイド部材をスライドベースに設置することにより、スライドベースの上面を複数の載置領域に容易に区画することができる。
【００１３】
また、上記構成の商品陳列棚において、スライドベース上に陳列される商品は特に限定されないが、使用期限が比較的短い（２〜３年）商品、例えばプリンタ用のインクカートリッジであると、その効果が著しいものとなる。
【図面の簡単な説明】
【００１４】
【図１】本考案の実施形態に係る商品陳列棚を示す斜視図である。
【図２】（ａ）はスライドベースが後退位置にある状態を示す側面図、（ｂ）はスライドベースが前進位置にある状態を示す側面図である。
【図３】押出装置の平面図である。
【図４】押出装置の正面図である。
【図５】図３のＸ−Ｘ線に沿う断面図である。
【図６】押出装置による商品の押出動作を示す側面図である。
【考案を実施するための形態】
【００１５】
以下、考案の実施の形態について図面を参照しながら説明すると、図１は本考案の実施形態に係る商品陳列棚を示す斜視図である。
【００１６】
本実施形態に係る商品陳列棚１は、量販店やコンビニエンスストア等の店舗で商品を陳列するために使用される棚装置である。図１に示すように、この商品陳列棚１は、店舗のフロアに設置される棚本体２と、棚本体２の背面板２ａに固定されて前方に延びる支持部材３と、支持部材３に前後方向に移動可能に支持されたスライドベース４と、スライドベース上に設けられた押出装置５とを備えている。
【００１７】
支持部材３は、水平面に沿って配置された平面視コ字状の部材からなり、その後端部が棚本体２の背面板２ａに固定されている。なお、支持部材３は、棚本体２の上下方向に所定間隔を存して複数段設けられている。
【００１８】
スライドベース４は商品Ｐを陳列するための陳列棚である。スライドベース４は支持部材３上に載置されており、支持部材３の左右両側部をガイドレールとして前後方向に移動可能となっている。すなわち、スライドベース４は、図２（ａ）に示すように支持部材３上に重なる後退位置と、図２（ｂ）に示すように支持部材３から前方に突出する前進位置との間を移動可能となっている。
【００１９】
なお、図示省略されているが、支持部材３の前端部にはロック部が設けられていると共に、スライドベース４の前端部にはロック部と係脱可能なストッパが設けられており、該ストッパによってスライドベース４の移動をロック／アンロック状態に切替操作できるようになっている。したがって、ストッパをロック部に係合させることにより、スライドベース４を図２（ａ）に示す後退位置に移動不能に保持することができ、ストッパとロック部の係合を解除することにより、スライドベース４を図２（ｂ）に示す前進位置に移動許可することができる。
【００２０】
次に、押出装置５について図３〜図６を参照しつつ詳細に説明すると、図３は押出装置５の平面図、図４は押出装置５の正面図、図５は図３のＸ−Ｘ線に沿う断面図、図６は押出装置５による商品Ｐの押出動作を示す側面図である。
【００２１】
図３〜図５に示すように、押出装置５は、スライドベース４上に載置された商品Ｐを前方に押し出す押圧体１０と、押圧体１０の移動を前後方向に案内する一対のガイド部材１１と、一対のガイド部材１１の対向間距離を規定する連結板１２と、スライドベース４の前端部に配置される前面板１３と、押圧体１０を前方に付勢する引張コイルばね（ばね部材）１４-、-とを有して構成されている。なお、図１において、押出装置５は最上段のスライドベース上にだけ設置されているが、それ以外のスライドベース上にも設置可能である。
【００２２】
一対のガイド部材１１は左右方向に所定間隔を存して平行に配置されており、これらガイド部材１１の間を平板状の連結板１２で繋ぐことにより、両ガイド部材１１と連結板１２は平面視コ字状に一体化されている。ガイド部材１１は上面を開口して前後方向に延びるガイド溝１１ａを有しており、このガイド溝１１ａに柱状に延びる押圧体１０の下端部が摺動自在に係合している。押圧体１０は引張コイルばね１４-の弾性力によって前方に付勢されており、引張コイルばね１４の両端部はガイド溝１１ａの前端部と押圧体１０に掛止めされている。また、ガイド部材１１の前端部にはストッパ受部１１ｂが立設されていると共に、ガイド部材１１の側方には仕切り板１５が立設されており、ストッパ受部１１ｂを含むガイド部材１１と仕切り板１５は合成樹脂材料を用いて一体成形されている。
【００２３】
ここで、スライドベース４上には複数の押出装置５が配設されており、そのうち図３〜図５には右端側に配置された押出装置５が代表的に示され、この押出装置５の左側に別の押出装置５が順次配置されている。本実施形態ではスライドベース４上に４組の押出装置５が配設されており、便宜上、右端側から順に第１押出装置、第２押出装置、第３押出装置、第４押出装置と呼ぶと、第１押出装置５の左側のガイド部材１１と第２押出装置５の右側のガイド部材１１は共通の仕切り板１５を介して一体化されている。同様に、第２押出装置５の左側のガイド部材１１と第３押出装置５の右側のガイド部材１１は共通の仕切り板１５を介して一体化され、第３押出装置５の左側のガイド部材１１と第４押出装置５の右側のガイド部材１１も共通の仕切り板１５を介して一体化されている。
【００２４】
連結板１２はガイド部材１１に対して凹凸嵌合等の固定手段を用いて着脱可能となっており、この連結板１２によって一対のガイド部材１１の対向間距離が規定されている。したがって、長さ寸法が異なる複数種類の連結板１２を準備しておき、陳列される商品Ｐの幅寸法に対応する連結板１２を選択することにより、一対のガイド部材１１の対向間距離を適切に設定することができる。
【００２５】
前面板１３は断面Ｌ字状に形成されており、前面板１３とガイド部材１１のストッパ受部１１ｂとの間に画成された溝部１３ａを利用して、押出装置５の前方にプライスカードやポップカード等を挿入・保持できるようになっている。なお、この前面板１３は連結板１２と別体に形成されているが、連結板１２と前面板１３を一体形成しても良い。
【００２６】
スライドベース４上に商品Ｐを陳列する場合は、不図示のストッパによるロックを解除してスライドベース４を前方に引き出し、図６に示すように、この状態でガイド部材１１のストッパ受部１１ｂと押圧体１０との間に複数の商品Ｐを配置した後、スライドベース４を後方に押し込んで後退位置にロックする。
【００２７】
このようにスライドベース４上に商品Ｐの陳列作業を行った後、陳列された商品Ｐの１つが売れて取り除かれると、引張コイルばね１４の弾性力（引張り力）を受けた押圧体１０が残りの商品Ｐを前方に押し出すため、取り除かれた商品Ｐによって生じる空きスペースが残りの商品Ｐで埋められた状態となる。そして、スライドベース４上に陳列された商品Ｐの多くが売れて取り除かれていくと、取り除かれて不足した分の商品Ｐを補充する必要がある。
【００２８】
かかる商品Ｐの補充作業を行う場合は、ストッパによるロックを解除してスライドベース４を前方に引き出し、この状態でガイド部材１１のストッパ受部１１ｂと押圧体１０との間に商品Ｐを補充した後、スライドベース４を後方に押し込んで後退位置にロックすれば良い。その際、ストッパ受部１１ｂと押圧体１０との間には商品Ｐを補充する空きスペースが確保されていないため、作業者は押圧体１０を引張コイルばね１４の弾性力に抗して後方へ移動し、最奥側の商品Ｐと押圧体１０との間に所要のスペースを確保して、当該スペースに新しい商品Ｐを補充することになる。その結果、新しい商品Ｐが常に最奥側に補充されることになるため、使用期限切れ商品Ｐの発生を抑制することができ、例えばプリンタ用のインクカートリッジのように、陳列される商品Ｐの使用期限が比較的短い（２〜３年）場合、商品Ｐの廃棄処分にかかるコストを大幅に低減することができる。
【００２９】
以上説明したように、本実施形態に係る商品陳列棚１では、スライドベース４上に陳列された商品Ｐ群の１つが売れて取り除かれると、引張コイルばね１４の付勢力を受けた押圧体１０が残りの商品Ｐを前方に押し出すため、取り除かれた商品Ｐによって生じる空きスペースが残りの商品Ｐで埋められた状態となり、この状態のスライドベース４を前方位置に引き出して商品Ｐの補充作業を容易に行うことができる。その際、スライドベース４上には商品Ｐを補充する空きスペースが確保されていないため、作業者は押圧体１０を引張コイルばね１４の付勢力に抗して後方へ移動し、最奥側の商品Ｐと押圧体１０との間に新しい商品Ｐを補充するための所要スペースを確保する必要がある。その結果、新しい商品Ｐが常に最奥側に補充されることになり、使用期限切れ商品Ｐの発生を抑制することができる。
【００３０】
また、本実施形態に係る商品陳列棚１では、押出装置５が左右方向に所定間隔を存して平行に配置された一対のガイド部材１１を有し、これらガイド部材１１が連結板１２を介して一体化されるようになっているため、幅寸法が異なる種々の商品Ｐを安定した姿勢で前方に押し出すことができる。しかも、一対のガイド部材１１にそれぞれ前後方向に延びるガイド溝１１ａが形成されており、これらガイド溝１１ａに押圧体１０が摺動自在に係合されていると共に、引張コイルばね１４の両端部がガイド溝１１ａの前端部と押圧体１０に掛止めされているため、押圧体１０の移動を案内するガイド溝１１ａ内に引張コイルばね１４を収納して、商品Ｐをスムーズに前方に押し出すことができる。
【００３１】
また、本実施形態に係る商品陳列棚１では、スライドベース４の上面を左右方向に隣接する複数の載置領域に区画する仕切り板１５を備え、これら各載置領域に押出装置５がそれぞれ設けられているため、スライドベース４上に複数種類の商品を陳列することができる。しかも、仕切り板１５が押出装置５のガイド部材１１に一体的に設けられているため、仕切り板１５付きのガイド部材１１をスライドベース４に設置することにより、スライドベース４の上面を複数の載置領域に容易に区画することができる。
【００３２】
なお、本考案は前述した各実施形態に限定されるものではなく、様々な変形態様が含まれる。例えば、前述した実施形態は、本考案を分りやすく説明するために説明したものであり、本考案は、必ずしも説明した全ての構成を備えるものに限定されるものではない。
【００３３】
例えば、上記実施形態では、一対のガイド部材１１を所定間隔を存して平行に対向配置し、これらガイド部材１１をガイド部とする２つの押圧体１０によって商品を前方に押し出すように構成したが、押圧体１０とガイド部材１１の組は一対（２つ）に限らず、１組または３組以上の押圧体１０とガイド部材１１であっても良い。
【００３４】
また、上記実施形態では、ばね部材として引張コイルばね１４を用い、引張コイルばね１４の弾性力（引張り力）よって押圧体１０を前方に付勢するようにしているが、引張コイルばねの代わりに圧縮コイルばねを用い、この圧縮コイルばねの弾性力よって押圧体１０を後方から前方に向けて付勢するようにしても良い。
【符号の説明】
【００３５】
１  商品陳列棚
２  棚本体
３  支持部材
４  スライドベース
５  押出装置
１０  押圧体
１１  ガイド部材
１１ａ  ガイド溝
１１ｂ  ストッパ受部
１２  連結板
１３  前面板
１４  引張コイルばね（ばね部材）
１５  仕切り板
Ｐ  商品
【図１】
0003227572.tif 000003
【図２】
0003227572.tif 000004
【図３】
0003227572.tif 000005
【図４】
0003227572.tif 000006
【図５】
0003227572.tif 000007
【図６】
0003227572.tif 000008